(57)【要約】  ウィッシュリストサービスを提供するサーバおよびそのサービス提供方法が開示される。前記ウィッシュリストサービス提供方法は、ユーザからウィッシュリストをアップロードするステップと、ウィッシュリストに含まれた少なくとも一つのアイテムに対する購入情報を提供するサービス提供者と通信してウィッシュリストをアップデートするステップとを含む。
2014503907.tif 000002
【特許請求の範囲】
【請求項１】
サーバのウィッシュリストサービス提供方法において、
ユーザからウィッシュリストをアップロードするステップと、
前記ウィッシュリストに含まれた少なくとも一つのアイテムに対する購入情報を提供するサービス提供者と通信して前記ウィッシュリストをアップデートするステップと、
を含むサービス提供方法。
【請求項２】
予め設定されたイベントが発生すると、前記アップデートされたウィッシュリストに基づいて、ユーザへ当該アイテムに対する購入情報を提供するステップを更に含むことを特徴とする請求項１に記載のサービス提供方法。
【請求項３】
前記サービス提供者から提供される前記少なくとも一つのアイテムに対する購入情報に基づいて、前記サービス提供者に対する等級を設定するステップを更に含み、
前記ウィッシュリストをアップデートするステップは、
前記サービス提供者から提供される購入情報に基づいて、前記設定された等級を定期的にアップデートすることを特徴とする請求項２に記載のサービス提供方法。
【請求項４】
前記当該アイテムに対する購入情報を提供するステップは、
前記設定された等級に応じて、対応する広告メッセージ内容、広告メッセージ提供時期および広告メッセージ提供方式のうち、少なくとも一つを決定し、それに基づいて当該アイテムに対する購入情報を提供することを特徴とする請求項３に記載のサービス提供方法。
【請求項５】
前記当該アイテムに対する購入情報を提供するステップは、
前記設定された等級に応じて、携帯端末装置へのメッセージ転送、ＥメールアカウントへのＥメール転送および郵便物転送のうち、少なくとも一つに対応する方式で購入情報を提供することを特徴とする請求項３に記載のサービス提供方法。
【請求項６】
前記当該アイテムに対する購入情報を提供するステップは、
前記ユーザが前記当該アイテムを販売するオフライン売り場およびショッピングサイトのうち、少なくとも一方を訪れると、現在設定された等級に応じて、対応する購入情報提供方式で購入情報を提供することを特徴とする請求項３に記載のサービス提供方法。
【請求項７】
前記サービス提供者は、
クレジットカード関連サーバ、値段比較関連サーバ、ショッピングサイト関連サーバおよびリアルタイム商品レビュー提供関連サーバのうち、少なくとも一つで実現されることを特徴とする請求項１に記載のサービス提供方法。
【請求項８】
サーバのウィッシュリストサービス提供方法において、
ユーザからウィッシュリストをアップロードするステップと、
前記ウィッシュリストに含まれた少なくとも一つのアイテムに対する購入情報を提供するサービス提供者と通信して前記サービス提供者に対する等級を設定するステップと、
予め設定されたイベントが発生すると、前記設定されたサービス提供者に対する等級に基づいて、当該アイテムに対する購入情報を提供するステップと、
を含むサービス提供方法。
【請求項９】
前記サービス提供者から提供される購入情報に基づいて、前記設定された等級を定期的にアップデートするステップを更に含むことを特徴とする請求項８に記載のサービス提供方法。
【請求項１０】
前記当該アイテムに対する購入情報を提供するステップは、
前記設定された等級に応じて、対応する広告メッセージ内容、広告メッセージ提供時期および広告メッセージ提供方式のうち、少なくとも一つを決定し、それに基づいて当該アイテムに対する購入情報を提供することを特徴とする請求項８に記載のサービス提供方法。
【請求項１１】
前記当該アイテムに対する購入情報を提供するステップは、
前記設定された等級に応じて、携帯端末装置へのメッセージ転送、ＥメールアカウントへのＥメール転送および郵便物転送のうち、少なくとも一つに対応する方式で購入情報を提供することを特徴とする請求項８に記載のサービス提供方法。
【請求項１２】
ウィッシュリストサービスを提供するサーバにおいて、
ユーザからウィッシュリストをアップロードする通信部と、
前記アップロードされたウィッシュリストを保存する保存部と、
前記ウィッシュリストをアップデートするアップデート部と、
前記ウィッシュリストに含まれた少なくとも一つのアイテムに対する購入情報を提供するサービス提供者と通信して前記ウィッシュリストをアップデートするように制御する制御部と、
を含むサーバ。
【請求項１３】
ユーザに当該アイテムに対する購入情報を提供する情報提供部を更に含み、
前記制御部は、
予め設定されたイベントが発生すると、前記アップデートされたウィッシュリストに基づいて、ユーザに当該アイテムに対する購入情報を提供するように制御することを特徴とする請求項１２に記載のサーバ。
【請求項１４】
前記サービス提供者から提供される前記少なくとも一つのアイテムに対する購入情報に基づいて、前記サービス提供者に対する等級を設定する等級設定部を更に含み、
前記制御部は、
前記サービス提供者から提供される購入情報に基づいて、前記設定された等級を定期的にアップデートするように制御することを特徴とする請求項１３に記載のサーバ。
【請求項１５】
前記制御部は、
前記設定された等級に応じて、対応する広告メッセージ内容、広告メッセージ提供時期および広告メッセージ提供方式のうち、少なくとも一つを決定し、それに基づいて当該アイテムに対する購入情報を提供するように制御することを特徴とする請求項１２に記載のサーバ。
【発明の詳細な説明】
【技術分野】
【０００１】
本発明は、サーバおよびそのサービス提供方法に関し、より詳細には、ウィッシュリストサービスを提供するサーバおよびそのサービス提供方法に関する。
【背景技術】
【０００２】
ウィッシュリスト（Ｗｉｓｈ  Ｌｉｓｔ）、すなわち、品物の購入リストは、購入者が予め購入する品物をサーバに登録するためのものとして、現在このような機能は、当該インターネットサイト、又は、当該インターネットショッピングサイトのみに使用可能である。
【０００３】
すなわち、購入者はウィッシュリストに登録した商品を当該インターネットショッピングサイトでしか購入することができず、購入する品物を特定して登録していない場合、ウィッシュリストに保存することができる。
【０００４】
更に、購入者がオンライン上で登録したウィッシュリストは、オフライン売り場、例えば、デパートや、ディスカウントショップ等で利用することができず、オンライン上で登録したウィッシュリストが品物項目をオフラインの売り場で購入するためには、当該インターネットショッピングサイトに接続し直したり、或いは印刷物に出力しなければならない。
【０００５】
なお、オフラインの売り場で買い物をする場合、購入者は必要な品物リストを熟知しておくか、メモ帳にメモをしておき、売り場を訪れた際、それを確認して購入しなければならないという問題点があった。
なお、従来のサービスは、ユーザからの情報入力を受けてから商品に対する情報をアップデートするのではなく、判断後におすすめではないプッシュ形態に過ぎないという問題点があった。
【発明の概要】
【発明が解決しようとする課題】
【０００６】
そこで、本発明は、上記問題に鑑みてなされたものであり、本発明の目的とするところは、ウィッシュリストのアップデートが可能なサーバおよびそのサービス提供方法を提供することにある。
【課題を解決するための手段】
【０００７】
以上のような目的を達成するための本発明の一態様に係るサーバのウィッシュリストサービス提供方法において、ユーザからウィッシュリストをアップロードするステップと、前記ウィッシュリストに含まれた少なくとも一つのアイテムに対する購入情報を提供するサービス提供者と通信して前記ウィッシュリストをアップデートするステップとを含む。
【０００８】
なお、予め設定されたイベントが発生すると、前記アップデートされたウィッシュリストに基づいて、ユーザに当該アイテムに対する購入情報を提供するステップを更に含んでよい。
【０００９】
なお、前記サービス提供者から提供される前記少なくとも一つのアイテムに対する購入情報に基づいて、前記サービス提供者に対する等級を設定するステップを更に含み、前記ウィッシュリストをアップデートするステップは、前記サービス提供者から提供される購入情報に基づいて、前記設定された等級を定期的にアップデートしてよい。
【００１０】
なお、前記当該アイテムに対する購入情報を提供するステップは、前記設定された等級に応じて、対応する広告メッセージ内容、広告メッセージ提供時期および広告メッセージ提供方式のうち、少なくとも一つを決定し、それに基づいて当該アイテムに対する購入情報を提供してよい。
【００１１】
なお、前記当該アイテムに対する購入情報を提供するステップは、前記設定された等級に応じて、携帯端末装置へのメッセージ転送、ＥメールアカウントへのＥメール転送および郵便物転送のうち、少なくとも一つに対応する方式で購入情報を提供してよい。
【００１２】
なお、前記当該アイテムに対する購入情報を提供するステップは、前記ユーザが前記当該アイテムを販売するオフライン売り場およびショッピングサイトのうち、少なくとも一つを訪れると、現在設定された等級に応じて、対応する購入情報提供方式で購入情報を提供してよい。
【００１３】
ここで、前記サービス提供者は、クレジットカード関連サーバ、値段比較関連サーバ、ショッピングサイト関連サーバおよびリアルタイム商品レビュー提供関連サーバのうち、少なくとも一つで実現されてよい。
【００１４】
なお、本発明の別の態様に係るサーバのウィッシュリストサービス提供方法は、ユーザからウィッシュリストをアップロードするステップと、前記ウィッシュリストに含まれた少なくとも一つのアイテムに対する購入情報を提供するサービス提供者と通信して前記サービス提供者に対する等級を設定するステップと、予め設定されたイベントが発生すると、前記設定されたサービス提供者に対する等級に基づいて、当該アイテムに対する購入情報を提供するステップとを含む。
【００１５】
なお、前記サービス提供者から提供される購入情報に基づいて、前記設定された等級を定期的にアップデートするステップを更に含んでよい。
【００１６】
なお、前記当該アイテムに対する購入情報を提供するステップは、前記設定された等級に応じて、対応する広告メッセージ内容、広告メッセージ提供時期および広告メッセージ提供方式のうち、少なくとも一つを決定し、それに基づいて当該アイテムに対する購入情報を提供してよい。
【００１７】
なお、前記当該アイテムに対する購入情報を提供するステップは、前記設定された等級に応じて、携帯端末装置へのメッセージ転送、ＥメールアカウントへのＥメール転送および郵便物転送のうち、少なくとも一つに対応する方式で購入情報を提供してよい。
【００１８】
一方、本発明の一態様に係るウィッシュリストサービスを提供するサーバは、ユーザからウィッシュリストをアップロードする通信部と、前記アップロードされたウィッシュリストを保存する保存部と、前記ウィッシュリストをアップデートするアップデート部と、前記ウィッシュリストに含まれた少なくとも一つのアイテムに対する購入情報を提供するサービス提供者と通信して前記ウィッシュリストをアップデートするように制御する制御部とを含む。
【００１９】
なお、ユーザに当該アイテムに対する購入情報を提供する情報提供部を更に含み、前記制御部は、予め設定されたイベントが発生すると、前記アップデートされたウィッシュリストに基づいて、ユーザに当該アイテムに対する購入情報を提供するように制御してよい。
なお、前記サービス提供者から提供される前記少なくとも一つのアイテムに対する購入情報に基づいて、前記サービス提供者に対する等級を設定する等級設定部を更に含み、前記制御部は、前記サービス提供者から提供される購入情報に基づいて、前記設定された等級を定期的にアップデートするように制御してよい。
【発明の効果】
【００２０】
以上説明したように、本発明によれば、それぞれのユーザのコンテキストに合わせて情報を提供するようになり、効率的な商品のおすすめが可能となる。
【図面の簡単な説明】
【００２１】
【図１】本発明の一実施形態に係るウィッシュリストサービスを提供するサービスシステムを概略図である。
【図２】本発明の多様な実施形態に係るサーバの構成を示すブロック図である。
【図３】本発明の多様な実施形態に係るサービス提供者の等級設定方法および等級アップデート方法を説明するための図である。
【図４】本発明の一実施形態に係る等級別のサービス提供方法を説明するための図である。
【図５】本発明の一実施形態に係るウィッシュリストサービスシステムのサービス方法を説明するための動作フローチャートである。
【図６】本発明の一実施形態に係るサーバのサービス提供方法を説明するためのフローチャートである。
【図７】本発明の別の実施形態に係るサーバのウィッシュリストサービス提供方法を説明するためのフローチャートである。
【図８】本発明の多様な実施形態に係るサーバの構成を示すブロック図である。
【図９】本発明の多様な実施形態に係るサーバの構成を示すブロック図である。
【図１０】本発明の多様な実施形態に係るサービス提供者の等級設定方法および等級アップデート方法を説明するための図である。
【図１１】本発明の多様な実施形態に係るサービス提供者の等級設定方法および等級アップデート方法を説明するための図である。
【発明を実施するための形態】
【００２２】
以下に添付図面を参照しながら、本発明の好適な実施形態について詳細に説明する。
【００２３】
図１は、本発明の一実施形態に係るウィッシュリストサービスを提供するサービスシステムを概略図である。
【００２４】
同図によると、本サービスシステムは、サーバ１００と、ユーザ端末装置２０およびサービス提供者１０で構成されてよい。
【００２５】
サーバ１００は、本発明の一実施形態に係るウィッシュリストサービスを提供するように実現されてよい。例えば、サーバ１００は、クラウドコンピューティング技術を用いてクラウドサーバで実現されてよい。
【００２６】
クラウドコンピューティング（ｃｌｏｕｄ  ｃｏｍｐｕｔｉｎｇ）は、インターネット基盤（ｃｌｏｕｄ）のコンピューティング（ｃｏｍｐｕｔｉｎｇ）技術を意味するものとして、インターネット上のユーティリティデータサーバにプログラムをおき、必要になる度に、コンピュータや携帯電話等に前記プログラムを呼び込んで使用するウェブを基盤とするソフトウェアサービスである。クラウドコンピューティングに対する詳細な説明は省略する。
【００２７】
まず、ユーザ端末装置２０は、ウィッシュリストサービスを提供されるためにサーバ１００に接続することができる。例えば、ユーザはパソコンのような有線端末機、ノートパソコン、携帯電話等のような無線端末機を通じてサーバ１００に接続することができる。具体的に、ユーザはユーザ端末装置２０を介してユーザ情報、例えば、ユーザ名や住民番号、連絡先およびＩＤ情報とパスワード等を入力して、サーバ１００にアカウントを作ることができる。
【００２８】
ユーザ端末装置２０からユーザ情報が受信されると、サーバ１００は複数のユーザの情報が保存された保存部（図示せず）に受信された購入者情報を保存し、管理することができる。このように、ユーザ情報がサーバ１００に保存されることにより、ユーザはサーバ１００からウィッシュリストサービスを提供されることができる。
【００２９】
その後、ユーザはＩＤ情報とパスワード情報とをユーザ端末装置２０を介して入力、サーバ１００にログインしてウィッシュリストサービスを利用することができるようになる。
【００３０】
サービス提供者１０は、ウィッシュリストに保存された少なくとも一つのアイテムに対する情報を提供することができる。
【００３１】
サービス提供者１０は、サーバ１００と通信してウィッシュリストに保存された少なくとも一つのアイテムに対する情報を提供することにより、ウィッシュリストがアップデートされるようにすることができる。それに関連する具体的な実施形態については、後述する。
【００３２】
一方、サービス提供者１０は、具体的には、サービス提供サーバで実現されてよく、例えば、ウィッシュリストに保存された少なくとも一つのアイテムの購入に関連する情報を提供する多様なサーバ形態で実現されてよい。例えば、クレジットカード関連サーバ、値段比較関連サーバ、ショッピングサイト関連サーバ、リアルタイム商品レビュー提供関連サーバ等で実現されてよい。
【００３３】
図２は、本発明の一実施形態に係るサーバの構成を示すブロック図である。
【００３４】
同図によると、サーバ１００は、通信部１１０と、保存部１２０と、アップデート部１３０および制御部１４０を含む。
【００３５】
通信部１１０は、ユーザからウィッシュリストをアップロードすることができる。例えば、通信部１１０は、ユーザ端末装置２０と通信してウィッシュリストをアップロードされてよい。
【００３６】
なお、通信部１１０は、ウィッシュリストに含まれた少なくとも一つのアイテムに対する購入情報を提供するサービス提供者１０と通信することができる。具体的に、通信部１１０は、サービス提供者１０と定期的にまたは予め設定されたイベント発生時に通信を行って、情報を受信するように実現されてよい。ここで、サービス提供者１０は、クレジットカード関連サーバ、値段比較関連サーバ、ショッピングサイト関連サーバ、リアルタイム商品レビュー提供関連サーバのうち、少なくとも一つで実現されてよい。
【００３７】
保存部１２０は、ユーザからアップロードされたウィッシュリストおよびそれに該当する多様な情報を保存する機能を担う。
【００３８】
アップデート部１３０は、保存部１２０に保存されたウィッシュリストをアップデートすることができる。
【００３９】
制御部１４０は、ウィッシュリストに含まれた少なくとも一つのアイテムに対する購入情報を提供するサービス提供者と通信してウィッシュリストをアップデートするように制御することができる。具体的に、制御部１４０は、ウィッシュリストに含まれた少なくとも一つのアイテムに対する購入情報をアップデートするように制御することができる。
【００４０】
図８は、本発明の別の実施形態に係るサーバ２００の構成を示すブロック図である。
【００４１】
同図によると、サーバ２００は、通信部２１０と、等級設定部２２０と、情報提供部２３０および制御部２４０を含む。同図に示す構成要素のうち、図２に示す構成要素と重複する部分に対しては、その詳細な説明を省略する。
【００４２】
通信部２１０は、ユーザからウィッシュリストをアップロードすることができる。
【００４３】
保存部２２０は、アップロードされたウィッシュリストを保存する機能を担う。
【００４４】
等級設定部２３０は、ウィッシュリストに含まれた少なくとも一つのアイテムに対する購入情報を提供するサービス提供者１０と通信してサービス提供者に対する等級を設定／変更することができる。ここで、サービス提供者１０は、クレジットカード関連サーバ、値段比較関連サーバ、ショッピングサイト関連サーバ、リアルタイム商品レビュー提供関連サーバのうち、少なくとも一つで実現されてよい。
【００４５】
例えば、等級設定部２３０は、サービス提供者１０から提供する少なくとも一つのサービスに対する評価を適用してサービス提供者１０に等級を設定することができる。
【００４６】
情報提供部２４０は、ユーザに前記少なくとも一つのアイテムに対する購入情報を提供することができる。
【００４７】
制御部２５０は、予め設定されたイベントが発生すると、設定されたサービス提供者に対する等級に基づいて当該アイテムに対する購入情報を提供するように制御することができる。
【００４８】
例えば、アップデートされたウィッシュリストに含まれたアイテムを販売するオフライン売り場にユーザが訪問すると、当該アイテムに対する購入情報をユーザ端末装置２００に転送することができる。
【００４９】
この場合、ユーザがオフライン売り場に訪問したか否かは、ユーザ端末装置２０に備えられた内蔵ＧＰＳを通じて可能である。具体的に、ユーザ端末装置２０は、ＧＰＳ衛星（図示せず）から送出するＧＰＳ（Ｇｌｏｂａｌ  Ｐｏｓｉｔｉｏｎｉｎｇ  Ｓｙｓｔｅｍ）信号を受信して位置情報を生成することができ、生成された位置情報はサーバ１００に転送することができる。例えば、ユーザ端末装置２０は、３つ以上のＧＰＳ衛星からの信号到達時間と距離とを測定して、自分の現在位置を測定することができる。なお、誤差範囲を最小限化するために、ＤＧＰＳ（Ｄｉｆｆｅｒｅｎｔｉａｌ  ＧＰＳ）を利用することもできる。なお、ユーザ端末装置２０は、ＧＰＳ信号から、緯度・経度・高度の位置だけでなく、正確な時間まで得ることができる。
【００５０】
図９は、本発明の更に別の実施形態に係るサーバ３００の構成を示すブロック図である。
【００５１】
同図によると、サーバ３００は、通信部３１０と、保存部３２０と、アップデート部３３０と、等級設定部３４０と、情報提供部３５０および制御部３６０を含む。
【００５２】
通信部３１０は、ユーザからウィッシュリストをアップロードすることができる。例えば、通信部３１０は、ユーザ端末装置２０と通信してウィッシュリストをアップロードすることができる。
【００５３】
なお、通信部３１０は、ウィッシュリストに含まれた少なくとも一つのアイテムに対する購入情報を提供するサービス提供者１０と通信することができる。具体的に、通信部３１０は、サービス提供者１０と定期的にまたは予め設定されたイベント発生時に、通信を行って情報を受信するように実現されてよい。ここで、サービス提供者１０は、クレジットカード関連サーバ、値段比較関連サーバ、ショッピングサイト関連サーバおよびリアルタイム商品レビュー提供関連サーバのうち、少なくとも一つで実現されてよい。
【００５４】
保存部３２０は、ユーザからアップロードされたウィッシュリストおよびそれに対応する多様な情報を保存する機能を担う。
【００５５】
アップデート部３３０は、保存部３２０に保存されたウィッシュリストをアップデートすることができる。
【００５６】
等級設定部３４０は、ウィッシュリストに含まれた少なくとも一つのアイテムに対する購入情報を提供するサービス提供者と通信し、サービス提供者に対する等級を設定することができる。
【００５７】
情報提供部３５０は、ユーザに少なくとも一つのアイテムに対する購入情報を提供することができる。
【００５８】
制御部３６０は、ウィッシュリストに含まれた少なくとも一つのアイテムに対する購入情報を提供するサービス提供者と通信してウィッシュリストをアップデートするように制御することができる。
【００５９】
具体的に、制御部３６０は、サービス提供者から提供される購入情報に基づいて、設定された等級を定期的にアップデートするように制御することができる。
【００６０】
なお、制御部３６０は、予め設定されたイベントが発生すると、アップデートされたサービス提供者に対する等級に基づいて、当該アイテムに対する購入情報を提供するように制御することができる。
【００６１】
なお、制御部３６０は、設定された等級に応じて対応する広告メッセージ内容、広告メッセージ提供時期および広告メッセージ提供方式のうち、少なくとも一つを決定し、それに基づいて当該アイテムに対する購入情報を提供するように制御してよい。
【００６２】
なお、制御部３６０は、設定された等級に応じて携帯端末装置へのメッセージ転送、ＥメールアカウントへのＥメール転送および郵便物による情報の転送のうち、少なくとも一つに対応する方式で購入情報を提供することができる。
【００６３】
なお、制御部３６０は、ユーザが前記当該アイテムを販売するオフライン売り場およびショッピングサイトのうち、少なくとも一つを訪れると、現在設定された等級に応じて対応する購入情報提供方法で購入情報を提供するように制御することができる。
【００６４】
図３、図１０および図１１は、本発明の多様な実施形態に係るサービス提供者の等級設定方法および等級アップデート方法を説明するための図である。
【００６５】
図３によると、各サービス提供者のタイプ別に該当する情報に対する点数を与え、それを合算して各サービス提供者の等級を決定することができる。
【００６６】
例えば、クレジットカード関連サービス提供者の場合、これらの等級を設定するための情報には、無利子割引情報または特別割引情報、ポイント積み立て情報等が含まれてよい。その他に、ユーザの支出計画等がサーバ２００に登録される場合、それを等級設定に考慮することができる。例えば、“カード会社Ｓ”に対する無利子割引情報、特別割引情報、ポイント積み立て情報等に点数を与え、それを合算して“カード会社Ｓ”に対する等級を決定することができる。ここで、クレジットカード関連サービス提供者は、多様なカード会社で実現されてよい。
【００６７】
なお、ショッピングサイト関連サービス提供者の場合、これらの等級を設定するための情報には、セール情報、クーポン、無料ギフト等が含まれてよい。ここで、ショッピングサイト関連サービス提供者は、多様なデパート、ディスカウントショップ、インターネットショッピングサイト等であってよい。
【００６８】
すなわち、“ショッピングサイトＬ”に対するセール情報、クーポン、無料ギフト等に点数を与え、それを合算して、“ショッピングサイトＬ”に対する等級を決定することができる。
【００６９】
なお、値段比較サービス提供者の場合、それらの等級を設定するための情報には、適正な値段か否かが含まれてよい。例えば、“値段比較サイトＤ”で適正な値段か否かを他の値段比較サイトと比較し、“値段比較サイトＤ”に対する等級を決定することができる。
【００７０】
または、値段比較関連サービス提供者の場合には、その特性上、当該サービス提供者から提供される値段情報そのものを上述のショッピングサイト関連サービス提供者に対する情報に利用されるように実現することも可能である。すなわち、値段比較関連サービス提供者が提供する値段情報を上述のショッピングサイトの等級を決定するのに利用することができる。
【００７１】
リアルタイム商品レビュー関連サービス提供者の場合、多様な商品レビュー関連サイトであってよく、これらの等級を設定するための情報には同一機器のユーザのリアルタイム商品レビュー等が含まれてよい。例えば、当該アイテムに対するリアルタイム商品レビューに基づいて、当該アイテムに対する商品レビューサービスに等級を与えることができる。
【００７２】
すなわち、サーバ２００は、ウィッシュリストに登録された商品それぞれに対してデータベースを作り、サービス提供者１０と定期的に通信し、当該サービス提供者１０の等級をアップデートすることができる。
【００７３】
上述のように、アップデートされたサービス提供者１０の等級に基づいて、当該アイテムに対する購入情報をユーザ端末装置２０に提供することができる。この場合、各サービス提供者に対する等級は個別的に適用されてよい。
【００７４】
例えば、ユーザが“Ｌショッピングサイト”のオフライン売り場に入った場合、当該アイテムに対する“Ｌショッピングサイト”に対する等級が高い場合、すなわち、購入時期、値段等が適正な場合、等級が高いカード会社情報、商品レビュー情報等を併せてユーザ端末装置２０にショートメッセージの形態で転送することができる。
【００７５】
または、当該アイテムに対する購入情報をユーザ端末装置２０のユーザに適用する場合、各サービス提供者に対する等級は有機的に適用されてよい。
【００７６】
例えば、ユーザが“Ｌショッピングサイト”のオフライン売り場に入った場合、当該アイテムに対する“Ｌショッピングサイト”に対する等級が高くても、リアルタイム商品レビューで良くない等級を受けた場合等には、当該アイテムに対する購入情報をユーザ端末装置２０に転送しないように実現することも可能である。
【００７７】
図１０および図１１によると、各サービス提供者の等級は、サービス提供者のタイプ別に設定されてよい。
【００７８】
例えば、図１０に示すように、クレジットカード関連サービス提供者ＳＰ１ないしＳＰ４に対する当該アイテムに対する等級が個別的に設定されてよい。
【００７９】
なお、図１１に示すように、ショッピングサイト関連サービス提供者ＳＰ５ないしＳＰ８に対する当該アイテムに対する等級が個別的に設定されてよい。
【００８０】
一方、上述の値段比較関連サービス提供者およびリアルタイム商品レビュー関連サービス提供者の場合は、各サービス提供者に対する要求が設定されることも可能であるが、当該アイテムを販売するショッピングサイトに対する等級を設定するのに、それを利用したり、当該リアルタイム商品レビューサービスサイトから提供する商品レビューそのものに対して等級を設定することができる。
【００８１】
例えば、値段比較関連サービス提供者に対する等級が設定されるとしたら、当該値段比較サイトから提供される適正値段を比較し、値段比較サイトに対する等級を設定することができる。この場合には、高い等級に設定された値段比較サイトから提供される適正値段をユーザに通知する形態で実現されてよい。
【００８２】
または、当該値段比較サイトから提供される複数のショッピングサイトに対する値段を当該ショッピングサイトの等級を設定することができる。すなわち、一般的に、値段比較サイトは、各ショッピングサイト別の値段を比較するようになるため、当該ショッピングサイトに対する値段そのものに等級を与えることもできる。
【００８３】
図４は、本発明の一実施形態に係る等級別のサービス提供方法を説明するための図である。
【００８４】
同図によると、各サービス提供者の等級別に当該アイテムに対する購入情報を提供することができる。
【００８５】
例えば、ユーザが“Ｌショッピングサイト”を訪れた場合、ウィッシュリストに含まれたアイテムに対して当該ショッピングサイトの購入等級が“Ａ等級”に設定されたなら、ユーザ端末装置（例えば、携帯電話）に当該購入情報を転送することができる。ここで、購入情報は、当該アイテムの商品名、売り場の位置、カード情報、商品レビュー情報等を含むことができる。
【００８６】
なお、ユーザが“Ｌショッピングサイト”を訪れた場合でも、ウィッシュリストに含まれたアイテムに対して当該ショッピングサイトの購入等級が“Ｂ等級”に設定されたなら、Ｅメールアカウントに当該購入情報を転送することができる。
【００８７】
なお、ユーザが“Ｌショッピングサイト”を訪れた場合でも、ウィッシュリストに含まれたアイテムに対して当該ショッピングサイトの購入等級が“Ｃ等級”に設定されたなら、郵便によってユーザへ当該購入情報を転送することができる。
【００８８】
なお、ユーザが“Ｌショッピングサイト”を訪れた場合であっても、ウィッシュリストに含まれたアイテムに対して当該ショッピングサイトの購入等級が“Ｄ等級”に設定されたなら、何のアクションがなくてよい。
【００８９】
図５は、本発明の一実施形態に係るウィッシュリストサービスシステムのサービス方法を説明するためのフローチャートである。
【００９０】
同図によると、まず、ユーザ２０が購入を望むアイテムに対するウィッシュリストをサーバ１００、２００にアップロードする。
【００９１】
サーバ１００、２００では、アップロードされたウィッシュリストに対してサービス提供者（ＳＰ）１０と定期的に通信してサービス提供情報（ＳＰ情報）を通じてサービス提供者（ＳＰ）１０の等級をアップデートすることができる。
【００９２】
続いて、ユーザ２０が所定のオフライン売り場に進入すると、サービス提供者（ＳＰ）１０の等級を基準にユーザ２０に購入おすすめのメッセージを転送することができる。例えば、ユーザが“Ｌショッピングサイト”に進入した場合、ウィッシュリストに含まれた所定のアイテムに対して“Ｌショッピングサイト”の等級がユーザ２０が所持したユーザ端末装置にショートメッセージを転送するように設定されたＡ等級である場合、当該アイテムに対する購入おすすめのメッセージをユーザ端末装置に転送することができる。
【００９３】
図６は、本発明の一実施形態に係るサーバのサービス提供方法を説明するためのフローチャートである。
【００９４】
同図に示すサーバのウィッシュリストサービス提供方法によると、まず、ユーザからウィッシュリストをアップロードする（Ｓ６１０）。
【００９５】
続いて、ウィッシュリストに含まれた少なくとも一つのアイテムに対する購入情報を提供するサービス提供者と通信し、ウィッシュリストをアップデートする（Ｓ６２０）。ここで、サービス提供者は、クレジットカード関連サーバ、値段比較関連サーバ、ショッピングサイト関連サーバおよびリアル商品レビュー関連サーバのうち、少なくとも一つで実現されてよい。
【００９６】
なお、予め設定されたイベントが発生すると、アップデートされたウィッシュリストに基づいてユーザに当該アイテムに対する購入情報を提供することができる。
【００９７】
なお、サービス提供者から提供される前記少なくとも一つのアイテムに対する購入情報に基づいて、前記サービス提供者に対する等級を設定することができる。この場合、サービス提供者から提供される購入情報に基づいて、設定された等級を定期的にアップデートすることができる。
【００９８】
なお、設定された等級に応じて、対応する広告メッセージ内容、広告メッセージ提供時期および広告メッセージ提供方式のうち、少なくとも一つを決定し、それに基づいて当該アイテムに対する購入情報を提供することができる。
【００９９】
なお、設定された等級に応じて、携帯端末装置へのメッセージ転送、ＥメールアカウントへのＥメール転送および郵便物転送のうち、少なくとも一つに対応する方式で購入情報を提供することができる。
【０１００】
なお、ユーザが前記当該アイテムを販売するオフライン売り場およびショッピングサイトのうち、少なくとも一方を訪れると、現在設定された等級に応じて、対応する購入情報提供方式で購入情報を提供することができる。
【０１０１】
図７は、本発明の別の実施形態に係るサーバのウィッシュリストサービス提供方法を説明するためのフローチャートである。
【０１０２】
同図に示すサーバのウィッシュリストサービス提供方法によると、まず、ユーザからウィッシュリストをアップロードする（Ｓ７１０）。
【０１０３】
続いて、ウィッシュリストに含まれた少なくとも一つのアイテムに対する購入情報を提供するサービス提供者と通信し、前記サービス提供者に対する等級を設定する（Ｓ７２０）。ここで、サービス提供者は、クレジットカード関連サーバ、値段比較関連サーバ、ショッピングサイト関連サーバおよびリアル商品レビュー関連サーバのうち、少なくとも一つで実現されてよい。
【０１０４】
その後、予め設定されたイベントが発生すると、設定されたサービス提供者に対する等級に基づいて当該アイテムに対する購入情報を提供することができる（Ｓ７３０）。
なお、サービス提供サーバから提供される購入情報に基づいて、前記設定された等級を定期的にアップデートすることができる。
【０１０５】
なお、設定された等級に応じて、対応する広告メッセージ内容、広告メッセージ提供時期および広告メッセージ提供方式のうち、少なくとも一つを決定し、それに基づいて当該アイテムに対する購入情報を提供することができる。
【０１０６】
なお、設定された等級に応じて、携帯端末装置へのメッセージ転送、ＥメールアカウントへのＥメール転送および郵便物転送のうち、少なくとも一つに対応する方式で購入情報を提供することができる。
【０１０７】
なお、ユーザが前記当該アイテムを販売するオフライン売り場およびショッピングサイトのうち、少なくとも一方を訪れると、現在設定された等級に応じて、対応する購入情報提供方式で購入情報を提供することができる。
【０１０８】
上述の本発明に係るサーバおよびそのサービス提供方法は、ｅ−Ｃｏｍｍｅｒｃｅ分野で応用活用することができる。
【０１０９】
それにより、ユーザコンテキストに合わせて情報を提供するようになり、効率的な商品のおすすめが可能となる。
【０１１０】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１１】
１０…  サービス提供者
２０…  ユーザ端末装置
１００…  サーバ
１１０…  通信部
１２０…  保存部
１３０…  アップデート部
１４０…  制御部
２００…  サーバ
２１０…  通信部
２２０…  保存部
２３０…  等級設定部
２４０…  情報提供部
２５０…  制御部
３００…  サーバ
３１０…  通信部
３２０…  保存部
３３０…  アップデート部
３４０…  等級設定部
３５０…  情報提供部
３６０…  制御部
【図１】
2014503907.tif 000003
【図２】
2014503907.tif 000004
【図３】
2014503907.tif 000005
【図４】
2014503907.tif 000006
【図５】
2014503907.tif 000007
【図６】
2014503907.tif 000008
【図７】
2014503907.tif 000009
【図８】
2014503907.tif 000010
【図９】
2014503907.tif 000011
【図１０】
2014503907.tif 000012
【図１１】
2014503907.tif 000013
【国際調査報告】
2014503907.tif 000014
2014503907.tif 000015